(57)【要約】【課題】  口臭を効果的に除去又は低減することのできる歯ブラシを提供する。【解決手段】  グリップ部20と、該グリップ部20の先端に取り付けられた柄30と、該柄30の先端に配備されたブラシ部40を具える歯ブラシにおいて、柄30を高純度ステンレス鋼によって作製している。【選択図】  図２
2005318970.tif 000002
【特許請求の範囲】
【請求項１】
グリップ部(20)と、該グリップ部(20)の先端に取り付けられた柄(30)と、該柄(30)の先端に配備されたブラシ部(40)を具える歯ブラシにおいて、
柄(30)は、高純度ステンレス鋼によって形成されていることを特徴とする歯ブラシ。
【請求項２】
柄(30)は、帯板状に形成される請求項１に記載の歯ブラシ。
【請求項３】
柄(30)の先端には、凹部(32)が形成されており、該凹部(32)にブラシ部(40)の基部(42)が着脱可能に嵌まっている請求項１又は請求項２に記載の歯ブラシ。
【請求項４】
柄(30)は、グリップ部(20)に回動可能に取り付けられており、グリップ部(20)には、柄(30)及びブラシ部(40)を収容する凹部(22)が設けられ、柄(30)をグリップ部(20)に対して折り畳むことにより、柄(30)及びブラシ部(40)が凹部に収容される請求項１乃至請求項３の何れかに記載の歯ブラシ。
【発明の詳細な説明】
【技術分野】
【０００１】
本発明は、口臭を効果的に除去又は低減させることのできる歯ブラシを提供することである。
【背景技術】
【０００２】
歯ブラシは、柄がプラスチック等により形成され、柄の先端にブラシが植毛されているものが一般的に用いられている。また、携帯性を高めるために、使用者が握るグリップ部に対して柄を折り畳み可能にした歯ブラシもある。
【０００３】
【特許文献１】実開平５−９３２５４号公報(図１)
【発明の開示】
【発明が解決しようとする課題】
【０００４】
柄部分は、プラスチック等の樹脂により作製されているから、柄自体には、口臭除去効果は具備していない。
【０００５】
本発明の目的は、口臭を効果的に除去又は低減することのできる歯ブラシを提供することである。
【課題を解決するための手段】
【０００６】
上記課題を解決するために、本発明の歯ブラシは、
グリップ部(20)と、該グリップ部(20)の先端に取り付けられた柄(30)と、該柄(30)の先端に配備されたブラシ部(40)を具える歯ブラシにおいて、
柄(30)を高純度ステンレス鋼によって形成したものである。
【発明の効果】
【０００７】
本発明の歯ブラシは、使用者の口に入る柄部分に高純度ステンレス鋼を使用している。高純度ステンレス鋼である柄を口内に入れるだけで、柄の表面はプラスに荷電し、口内の水分によって口内の臭いが柄の表面に引きつけられ、口内への吸着力が弱まって、臭いの脱着反応の触媒として作用する。その結果、口臭が効果的に除去又は低減される。
なお、高純度ステンレス鋼である柄で頬の内側、歯茎、舌を柄で擦ると、よりすぐれた口臭除去効果を発揮できる。
高純度ステンレス鋼である柄を口内に入れて、柄の先端のブラシ部で歯を清掃することにより、極めて効果的に口臭を除去又は低減することができる。
【発明を実施するための最良の形態】
【０００８】
図１は、本発明の歯ブラシ(10)の断面図である。
歯ブラシ(10)は、使用者の握るグリップ部(20)と、該グリップ部(20)の先端に取り付けられた柄(30)と、柄(30)の先端に配備されたブラシ部(40)とを具える。
グリップ部(20)と柄(30)は、後述する高純度ステンレス鋼により一体に形成してもよいし、図１に示すように、グリップ部(20)を樹脂等により円柱状の握りやすい形状に作製し、グリップ部(20)の先端に柄(30)を着脱可能とする構成としてもよい。
【０００９】
柄(30)は、高純度ステンレス鋼から作製される。柄(30)は、図１に示すような帯板状に形成したり、円柱状等、種々の形状とすることができる。
高純度ステンレス鋼として、ジロンカ社製のスメルキラーに用いられている材料や、デオス社のスチールソープに用いられている材料を例示できる。
柄(30)の先端には、ブラシ部(40)を着脱可能に取り付ける凹部(32)が形成されている。
【００１０】
ブラシ部(40)は、図１に示すように、柄(30)の先端の凹部(32)に着脱可能に嵌まる基部(42)と該基部(42)に植毛されたブラシ(44)から構成することができる。ブラシ部(40)はゴム等、ブラシ(44)はナイロン等から形成することができる。
なお、ブラシ部(40)は、消耗部材であるため、柄(30)に着脱可能とし、交換できるようにしている。これにより、ブラシ部(40)を交換するだけで、長期に亘って歯ブラシ(10)を使用することができる。なお、ブラシ部(40)の取付方法は、図示の例に限定されるものではなく、また、柄(30)の先端に直接ブラシ(44)を植毛するようにしてもよい。
【００１１】
図２は、グリップ部(20)に対して、柄(30)を折り畳み可能とした歯ブラシ(10)の斜視図である。
グリップ部(20)には、柄(30)及びブラシ部(40)が収容される凹部(22)が形成されており、ブラシ部(40)の先端には、柄(30)を折り畳み可能に支持されている。凹部(22)は、ブラシ部(40)を収納する部分が深く形成されている。
グリップ部(20)と柄(30)は、ヒンジ等の接続手段(50)により接続することができる。接続手段(50)は、バネを内蔵したワンタッチオープン式のものを用いることができる。この場合、柄(30)をグリップ部(20)に収容した状態から図２に示す状態に開くために、グリップ部(20)に、使用者の操作により出没可能な爪片(24)を凹部(22)内に出没可能に設け、柄(30)には、グリップ部(20)に収容した状態で、爪片(24)が当たる部分に溝(32)を切っておけばよい。爪片(24)を操作することにより、柄(30)をグリップ部(20)に収容された状態から、開いて使用できる状態にすることができる。使用後は、柄(30)をグリップ部(20)側に折り畳めばよい。
【００１２】
なお、上記歯ブラシは何れも電池等により作動する駆動機構を具えることにより、電動歯ブラシとしてもよい。この場合、柄部分を高純度ステンレス鋼で作製すればよい。
【実施例】
【００１３】
柄(30)を高純度ステンレス鋼によって形成した図１に示す歯ブラシ(10)を用いて、被験者に口臭除去効果があったかどうかを確認する試験を行なった。
試験は、被験者３人(Ａ〜Ｃ)に３回ずつ、本発明の歯ブラシ(10)によって歯を磨いた後、口臭低減度を、臭わない(０点)、殆んど臭わない(１点)、変わらない(２点)、臭う(３点)の４段階の得点で評価してもらい、その平均値及び３人の総平均値を計算した。
結果を表１に示す。
【００１４】
【表１】
2005318970.tif 000003
【００１５】
比較のため、被験者３人(Ａ〜Ｃ)に、上記試験終了後、３回ずつ、柄がプラスチック製である市販の歯ブラシによって歯を磨いてもらい、臭いの低下度を同様に評価してもらった。結果を表２に示す。
【００１６】
【表２】
2005318970.tif 000004
【００１７】
表１及び表２を参照すると、本発明の歯ブラシ(10)は、口臭の低減効果が非常に高いことがわかる。これは、柄(30)に高純度ステンレス鋼を用いたことにより、口内で柄の表面がプラスに荷電し、口内の臭いが柄の表面に引きつけられ、口内への吸着力が弱まって、臭いの脱着反応の触媒として作用したためであると考えられる。
一方、従来の樹脂製の柄を用いた歯ブラシは、何れの被験者も口臭低減効果が殆んど見られなかった。
【産業上の利用可能性】
【００１８】
本発明は、口臭低減効果の高い歯ブラシとして有用である。
【図面の簡単な説明】
【００１９】
【図１】本発明の歯ブラシの断面図である。
【図２】折り畳み可能に形成した本発明の歯ブラシの斜視図である。
【符号の説明】
【００２０】
(10)  歯ブラシ
(20)  グリップ部
(30)  柄
(40)  ブラシ部
【図１】
2005318970.tif 000005
【図２】
2005318970.tif 000006